(57)【要約】【課題】  開閉に伴うデッドスペースは少なく、有効開口幅を確保しやすく、多くの利用者が慣れ親しむ方向への開閉動作でありながら、そのレールの施工精度は、ローリングタイプのものに比して簡便にし、滑らかに曲がることが可能な引戸式パネルにする。【解決手段】  支持材に化粧板が接着加工され、支持材層に至る深さの溝が形成されている可撓性の化粧材を開口パネルとして用い、化粧材を撓ませながら開口部の横方向に回動させ、収納可能にしたトイレブースにする。【選択図】図１
2017203327.tif 000002
【特許請求の範囲】
【請求項１】
可撓性の化粧材が開口パネルとされ、前記化粧材は撓みながら、開口部の横方向に回動し、収納可能であることを特徴とするトイレブース。
【請求項２】
前記化粧材は上レールにより吊り下げられていることを特徴とする請求項１記載のトイレブース。
【請求項３】
前記化粧材の戸尻は上レールに対向するサイドレールに引っ掛かり、吊り下げられていることを特徴とする請求項１記載のトイレブース。
【請求項４】
前記上レールとサイドレールの間には前記化粧材を挟持するポールが介在していることを特徴とする請求項３記載のトイレブース。
【請求項５】
前記化粧材は支持材上に化粧板が接着加工され、溝が形成されていることを特徴とする請求項１記載のトイレブース。
【請求項６】
前記溝は支持材層に至る深さであることを特徴とする請求項５記載のトイレブース。
【発明の詳細な説明】
【技術分野】
【０００１】
本発明はトイレブースに関する。
【背景技術】
【０００２】
以前より化粧パネルを用いたトイレブースが知られており、ドアパネルは開き戸タイプや引き戸タイプであった。
【先行技術文献】
【特許文献】
【０００３】
【特許文献１】実開平６−４７５１７号公報
【特許文献２】特開平１０−５４１８４号公報
【発明の開示】
【発明が解決しようとする課題】
【０００４】
しかしながら、開きドアタイプではデッドスペースが大きくなり、引戸タイプでは引きシロをその延長方向に確保する必要があり、トイレのような狭い空間でこれらを解決したい要望が根本的に存在する。
また、狭い空間で使用でき、有効開口幅を確保しようとすると、折戸や、ローリング戸を用いることとなるが、折戸では不特定多数の利用者が最適なる向きに力を入れて開閉することが難しく、破損しやすく、ローリング戸では、これに追加して、扉のスムーズな動きを確保する為の、施工が難しいといった問題があった。
【課題を解決するための手段】
【０００５】
本発明はかかる状況に鑑み検討されたもので、可撓性の化粧材が開口パネルとされ、前記化粧材は撓みながら、開口部の横方向に回動し、収納可能であることを特徴とするトイレブースである。
【発明の効果】
【０００６】
滑らかに曲がることが可能な引戸式パネルであるため、開閉に伴うデッドスペースは少なく、有効開口幅を確保しやすく、多くの利用者が慣れ親しむ方向への開閉動作でありながら、そのレールの施工精度は、ローリングタイプのものに比して簡便である。
【図面の簡単な説明】
【０００７】
【図１】化粧材の構成断面図。
【図２】撓んだ化粧材の構成断面図。
【図３】トイレブースの化粧材を閉じた時の状態を示す要部正面図。
【図４】トイレブースの化粧材を閉じた時の状態を示す透視平面図。
【図５】トイレブースの化粧材を閉じた時の状態を示す右側面図。
【図６】トイレブースの化粧材を開いた時の状態を示す要部正面図。
【図７】トイレブースの化粧材を開いた時の状態を示す透視平面図。
【図８】トイレブースの化粧材を閉じた時の状態を示す右側面図。
【図９】トイレブースの化粧材が撓んで回動する時の状態を示す平面図。
【図１０】他のトイレブースの化粧材を閉じた時の状態を示す透視平面図。
【発明を実施するための最良の形態】
【０００８】
図１は開口パネルとして用いる曲折可能な化粧材６の構成断面図であり、曲折自在の支持材１に、化粧板が接着され、化粧板には溝５が前記支持材に至る深さで形成されている。化粧板はジアリルフタレート樹脂化粧板、ポリエステル化粧板、メラミン樹脂化粧板等の熱硬化性樹脂化粧板や、合成樹脂系基材、木質系基材にオレフィン系化粧シートを接着加工した複合化粧板が用いられる。
【０００９】
支持材としては、ガラス繊維、アルミナやチラノ等のセラミック繊維、アラミド繊維（ケブラー）などの不燃性繊維から作られた厚さ０．１〜０．８mmの不織布、クロスや、ＳＢＲ，アクリル樹脂などを含浸させた厚さ０．２〜０．８ｍｍのラテックス含浸紙、プラスチックフィルム等が使用される。
【００１０】
支持材と化粧板との接着には、両者に接着性を有し、しかも非透水性膜を形成するポリエステル 、イソブチレンイソプレンゴム等のホットメルト系接着剤、ウレタン接着剤等が使用される。
【００１１】
溝はＶ溝、Ｕ溝など大きさ、形状等については特に限定はないが、設計に必要な曲率で曲がることが可能な溝形状とする。
【００１２】
合成樹脂系基材としてはポリエチレン系基材、ポリプロピレン系基材、ＡＢＳ基材、ポリスチレン基材、木質系基材としては、合板、パーティクルボード、ＭＤＦ（中密度繊維板）等が挙げられ、基材は平板状はもちろん、半円形、台形、凹形など所望の形状に加工すれば、起伏に富み意匠性が向上する。
【００１３】
本発明では、支持材にはラテックス含浸紙を用い、ウレタン系の接着剤を用いてＡＢＳを基材としてオレフィン系化粧シートを接着加工してＶ溝が形成された化粧材を用いている。
【００１４】
図３は開口パネルとしての化粧材６を用いたトイレブースの要部正面図であり、化粧材６は上レール８に摺動可能に吊り下げられている。前記化粧材６の戸尻６ｂは図４に示すように上レール８の横側に設けたサイドレール９に引っ掛かっている。
【００１５】
化粧材６の動作について説明すると、図３において取っ手３０を掴み右方向に開き始めるとは化粧材６は図２に示すように溝５部分で外側に撓みながら上レール８、サイドレール９に沿って、摺動し、回動して、図６に示されるように開く。
【００１６】
図３において、戸先６ａは引っ張り方向に移動し、化粧材６が溝部分で撓むと押力で戸尻６ｂが移動しながら、摺動、回動して、図８に示されるようにサイドレール９側に収納される。図９は化粧材が撓んで回動する時の平面図である。
【００１７】
図１０に示すように上レール８とサイドレール９の間には前記化粧材６を挟持するガイドポール１０，１１を介在せしめるとより好ましく、化粧材がレールから脱落するのを防止しやすいものとなる。
【符号の説明】
【００１８】
１    支持材
２    接着剤
３    基材
４    化粧シート
５    溝
６    化粧材
６ａ  戸先
６ｂ  戸尻
８    上レール
９    サイドレール
１０    ガイドポール
１１    ガイドポール
３０    取っ手
【図１】
2017203327.tif 000003
【図２】
2017203327.tif 000004
【図３】
2017203327.tif 000005
【図４】
2017203327.tif 000006
【図５】
2017203327.tif 000007
【図６】
2017203327.tif 000008
【図７】
2017203327.tif 000009
【図８】
2017203327.tif 000010
【図９】
2017203327.tif 000011
【図１０】
2017203327.tif 000012